(57)【要約】【課題】無停電端子による電気の供給の停止と解除作業を安易にするスイッチ型無停電端子の提供をすること。【解決手段】スイッチ型無停電端子１は、合成樹脂製のケース１１と、ケース１１の開口部を塞ぐ合成樹脂製のカバー１２と、ケース１１内に絶縁的に分離配置された２つの導電ブロック１３ａ、１４ａと、スイッチ５０と、一方の導電ブロック１３ａにねじ１５ａによりねじ止めされたリード線３２ａとを備えている。さらに、ケース１１内には、導電ブロック１３ａ、１４ａに対して絶縁的に分離配置され、かつ、互いにも絶縁的に分離配置された２つの導電ブロック１３ｂ、１４ｂと、一方の導電ブロック１３ｂによりねじ止めされたリード線３４ａと、を備えている。【選択図】図１
2009139284.tif 000002
【特許請求の範囲】
【請求項１】
供給者が受給者の電気料金が未払いの場合に前記受給者の電気を停止するときに前記受給者の電力量計に設置される無停電端子であって、
前記供給者の供給電源と前記受給者の負荷との間の電気的接続及び切断を行うスイッチ構造を備えることを特徴とするスイッチ型無停電端子。
【請求項２】
供給者が受給者の電気料金が未払いの場合に前記受給者の電気を停止するときに前記受給者の電力量計に設置される無停電端子であって前記供給者の供給電源と前記受給者の負荷との間の電気的接続及び切断の両方を可能とする無停電端子に使用されるバイバスプラグであって、
前記無停電端子の一方のバイバスプラグ接続端子に接続される一方の端子と、
前記無停電端子の他方のバイバスプラグ接続端子に接続される他方の端子と、
前記一方の端子と前記他方の端子との間の電気的接続及び切断の両方を可能とするスイッチ構造と、を備えることを特徴とするスイッチ付バイバスプラグ。
【請求項３】
請求項１に記載のスイッチ型無停電端子または請求項２に記載のスイッチ付バイバスプラグを備えて構成されることを特徴とする給電システム。
【発明の詳細な説明】
【技術分野】
【０００１】
本発明は、無停電端子による電気の供給の停止とその停止の解除作業を安易にするスイッチ型無停電端子及びスイッチ付バイバスプラグに関する。
【背景技術】
【０００２】
図４に示すように、供給者の発電機のような電力供給源３００で発電された電力は、送電線、配電線、引込線３１０、電源側電力線３１１、３１２、３１３に導かれ、電力量計４１０を介して、さらに、負荷側電力線４１２、４１３、４１４に導かれ、家屋４００や工場などの受給者の電力消費機器（負荷機器、端末）４２０に供給される。すなわち、電力量計４１０は、電源側電力線３１１〜３１３と、負荷側電力線４１２〜４１４との間に接続されている。受給者に供給された電力量は、電力量計４１０によって計量される。
【０００３】
ところで、供給者は、受給者に対して、電力量計４１０で計測した消費電力に基づいた電力使用料金を請求し、受給者からその電力使用料金を徴収する。その際、供給者は、受給者の経済的な事情などにより、電力使用料金を受給者から徴収できないと、受給者に対して電力の供給を停止する場合がある。
【０００４】
そこで、供給者は、初回の無停電端子５００による電力の供給停止・再接続後においても、なお、受給者の電気料金未払いが続き、電力の供給停止を行うことが近い将来に必要となる受給者に対して、受給者の電気料金入金後の再接続訪問時に、停止時に取り付けた無停電端子５００へバイパスプラグ４５０を差し込み、電気的に接続された状態にして無停電端子５００を残置する。
【０００５】
このとき、無停電端子５００は、バイパスプラグ４５０が無停電端子５００の差し込み口に差し込まれた状態で無停電端子５００を電力量計４１０と電力消費機器４２０との間に設置させるので、電力供給源３００と電力消費機器４２０との間は電気的に接続されている。したがって、受給者は、電気を使用できる。
【０００６】
無停電端子５００は、電力量計４１０の電力量計本体４３１を収納するケース４３０と電力量計本体４３１の狭い隙間に収納され、必要に応じて、ケース４３０に蓋をする。このため、収納後の無停電端子５００は、ケース４３０から取り出すことが非常に困難となる。
【０００７】
図５に示すように、供給者は、受給者の電力使用料金の支払いが十分でないと判断した場合、供給者の作業員が、電力の供給停止を行う受給者に対して、その受給者の電力量計が設置されている家屋４００へ出向き、無停電端子５００に差し込まれているバイパスプラグ４５０を抜く。これにより、電力供給源３００と電力消費機器４２０との間の電気的接続が切断された状態となるので、受給者は電気を使用できない状態となる。
【０００８】
ところで、電力量計４１０ひいては無停電端子５００は家屋４００の比較的高い位置に設置されているので、作業者は、はしごや脚立に乗った状態で、無停電端子５００を電力量計ケースの隙間から引き出し、差し込まれているバイパスプラグ４５０を抜く作業を行う。
【０００９】
このとき、作業者は、例えば、右手Ｈの親指Ｈ１と人差し指Ｈ２とでバイパスプラグ４５０の絶縁本体部４５５をしっかり把持し、左手ｈで無停電端子５００をしっかり把持した状態で、右手Ｈと左手ｈとを相反する方向に移動させるべく、作業者の両腕の力を入れる。このとき、そのようにすると、両端子４５１及び４５２は、それぞれ、プラグ端子挿入孔から徐々に引き抜かれ、やがて、プラグ端子挿入孔から完全に抜ける。これにより、抜かれたバイパスプラグ４５０に対するリード線２１２ａまたは２１４ａと負荷側電力線４１２または４１４とは、電気的に切断され、受給者は、電力消費機器４２０を使用することができなくなる。
【００１０】
以上のように顧客が長期間にわたり電気料金が未納の場合供給者は電気の供給を停止するがこの際電気供給の停止と解除作業を行うための無停電端子が開発されている。この無停電端子を使用しての電気供給の停止と解除は無停電端子に取り外し自在のバイバスプラグを抜き差しすることにより行う技術（特許文献１参照）が開発されている。
【００１１】
また、遠隔制御装置と無停電端子を組み合わせて電気の供給の停止と解除を遠隔にて実施する技術（特許文献２参照）が開発されている。さらに、複数相の回路における同相のピン嵌合口間にバイバスプラグを嵌挿して同通させる無停電端子において、複数相のうち異相のピン嵌合口間に誤嵌合防止の隔壁を立設するという技術（特許文献３参照）が開発されている。
【特許文献１】特開２００２−９８７１６号公報
【特許文献２】特開２００７−７４８６２号公報
【特許文献３】特開２００５−１３５８４１号公報
【発明の開示】
【発明が解決しようとする課題】
【００１２】
従来技術は、電気供給の停止と解除は無停電端子に取り外し自在のバイバスプラグを抜き差しすることにより行う技術であり、バイバスプラグの差込がきつい。また、無停電端子は電力量計が収納されるケースの隙間という狭い位置に配置されるので、無停電端子の取り出しが非常に困難である。また、バイパスプラグの抜き差し作業を行うには作業手袋を使用するため、無停電端子へのバイバスプラグの抜き差しが困難であるという問題がある。
【００１３】
本発明は、このような問題点を解決するためになされるものであり、無停電端子を電力量計が収納されるケースから取り出さずに電気の供給の停止と解除作業を可能とするスイッチ型無停電端子及びスイッチ付バイバスプラグを組み込んだ給電システムの提供を目的とする。
【課題を解決するための手段】
【００１４】
以上の目的を達成するために、本発明は、以下のようなものを提供する。
【００１５】
（１）  供給者が受給者の電気料金が未払いの場合に前記受給者の電気を停止ときに前記受給者の電力量計に設置される無停電端子であって、前記供給者の供給電源と前記受給者の負荷との間の電気的接続及び切断を行うスイッチ構造を備えることを特徴とするスイッチ型無停電端子。
【００１６】
（１）に記載の発明によれば、供給者が電気の供給を停止したり、停止の解除をしたりする際に無停電端子にバイバスプラグを用いる必要は無く、無停電端子に設置したスイッチ構造により容易に電気の供給停止及びその解除を行うことができる。
【００１７】
（２）  供給者が受給者の電気料金が未払いの場合に前記受給者の電気を停止するときに前記受給者の電力量計に設置される無停電端子であって前記供給者の供給電源と前記受給者の負荷との間の電気的接続及び切断の両方を可能とする無停電端子に使用されるバイバスプラグであって、前記無停電端子の一方のバイバスプラグ接続端子に接続される一方の端子と、前記無停電端子の他方のバイバスプラグ接続端子に接続される他方の端子と、前記一方の端子と前記他方の端子との間の電気的接続及び切断の両方を可能とするスイッチ構造と、を備えることを特徴とするスイッチ付バイバスプラグ。
【００１８】
（２）に記載の発明によれば、供給者が電気の供給を停止する際に、バイバスプラグに設置したスイッチを操作することにより容易に電気の供給停止及びその停止の解除を行うことができる。また、無停電端子は既存の製品が使用できる。
【００１９】
（３）  （１）に記載のスイッチ型無停電端子または（２）に記載のスイッチ付バイバスプラグを備えて構成されることを特徴とする給電システム。
【００２０】
（３）に記載の発明によれば、供給者が受給者の電気料金が未払の場合に電気を停止するときにスイッチ型無停電端子またはスイッチ付バイバスプラグにより、バイバスプラグの抜き差し操作不要でスイッチの電気的接続、切断操作により容易に給電の停止と停止解除ができる給電システムの構成が可能である。
【発明の効果】
【００２１】
本発明によれば、供給者が受給者の電気料金未払い時に電気を停止するときにスイッチ型無停電端子またはスイッチ付バイバスプラグにより、バイバスプラグの抜き差し操作をすることなく、スイッチの電気的接続及び切断操作により容易に給電の停止と停止解除ができる。
【発明を実施するための最良の形態】
【００２２】
以下、本発明の実施形態について図面に基づいて説明する。図１は、本発明に係るスイッチ型無停電端子の断面図である。図２は、本発明に係る無停電端子とスイッチ付バイバスプラグの断面図である。
【００２３】
また、図３は本発明に係るスイッチ付バイパスプラグの図である。（Ａ）は正面図、（Ｂ）は側面図である。
【００２４】
図１に示すように、スイッチ型無停電端子１は、合成樹脂製のケース１１と、ケース１１の開口部を塞ぐ合成樹脂製のカバー１２と、ケース１１内に絶縁的に分離配置された２つの導電ブロック１３ａ、１４ａと、導電ブロック１３ａと導電ブロック１４ａとの間に配置された一方のスイッチ５０と、一方の導電ブロック１３ａにねじ１５ａによりねじ止めされたリード線３２ａと、を備えている。
【００２５】
さらに、ケース１１内には、導電ブロック１３ａ、１４ａに対して絶縁的に分離配置され、かつ、互いにも絶縁的に分離配置された２つの導電ブロック１３ｂ、１４ｂと、導電ブロック１３ｂと１４ｂとの間に配置された他方のスイッチ５０と、一方の導電ブロック１３ｂによりねじ止めされたリード線３４ａと、を備えている。したがって、一方のスイッチ５０は導電ブロック１３ａと導電ブロック１４ａとの間に、他方のスイッチ５０は導電ブロック１３ｂと導電ブロック１４ｂとの間に設置される。導電ブロック１３ａ、１４ａ、１３ｂ、１４ｂは黄銅製で形成されている。
【００２６】
導電ブロック１３ａ及び１４ａには、それぞれ、一方のスイッチ５０の一方及び他方の端子５１及び５２が設けられている。一方のスイッチ５０の端子５１及び５２は互いに平行に設けられている。一方のスイッチ５０の一方及び他方の端子５１及び５２は、それぞれ、ねじ２２及び２３により導電ブロック１３ａ及び１４ａにねじ止めされる。
【００２７】
同様に、導電ブロック１３ｂ及び１４ｂには、それぞれ、他方のスイッチ５０の一方及び他方の端子５１及び５２が設けられている。他方のスイッチ５０の端子５１及び５２は互いに平行に設けられている。他方のスイッチ５０の一方及び他方の端子５１及び５２は、それぞれ、ねじ２２及び２３により導電ブロック１３ｂ及び１４ｂにねじ止めされる。
【００２８】
導電ブロック１４ａ及び１４ｂには、それぞれ、負荷側電力線３２及び３４の端部を挿入しうる引込線挿入孔２６ａ及び２６ｂが設けられている。この引込線挿入孔２６ａ及び２６ｂ内に先端が挿入された負荷側電力線３２及び３４を、それぞれ、導電ブロック１４ａ及び１４ｂにねじ込まれた止めねじ２７により保持する。
【００２９】
以上のスイッチ型無停電端子１は、以下のように作用する。
作業者が一方のスイッチ５０を電気的に接続する操作をした場合、リード線３２ａと負荷側電力線３２とは、止めねじ１５ａ、導電ブロック１３ａ、一方のスイッチ５０の端子５１、一方のスイッチ５０の端子５２、導電ブロック１４ａ、止めねじ２７を介して電気的に接続される。同様に、他方のスイッチ５０を電気的に接続する操作をした場合、リード線３４ａと負荷側電力線３４とは、止めねじ１５ｂ、導電ブロック１３ｂ、一方のスイッチ５０の端子５１、一方のスイッチ５０の端子５２、導電ブロック１４ｂ、止めねじ２７を介して電気的に接続される。
【００３０】
また、作業者が、一方及び他方のスイッチ５０を電気的に解除する操作をした場合、一方のスイッチ５０の端子５１と一方のスイッチ５０の端子５２との間が電気的に切断されるので、リード線３２ａと負荷側電力線３２とは、切断される。また、他方のスイッチ５０の端子５１と他方のスイッチ５０の端子５２との間が電気的に切断されるので、リード線３４ａと負荷側電力線３４とは、切断される。
【００３１】
以上の実施例では、一方のスイッチ５０は無停電端子１の導電ブロック１３ａと導電ブロック１４ａとの間に、他方のスイッチ５０は無停電端子１の導電ブロック１３ｂと導電ブロック１４ｂとの間に各々１個ずつ設置されるが、スイッチは導電ブロック１３ａと導電ブロック１４ａを接続する端子２個と導電ブロック１３ｂと導電ブロック１４ｂを接続する端子２個の４個の端子を持つスイッチ１個でもよい。
【００３２】
また、一方のスイッチ５０と他方のスイッチ５０を接続し、一方のスイッチ５０を電気的に接続及び切断する操作をした場合、他方のスイッチ５０も同時に電気的に接続及び切断される構造でもかまわない。
【００３３】
図２に示すように、無停電端子１００は、合成樹脂製のケース１１１と、ケース１１１の開口部を塞ぐ合成樹脂製のカバー１１２と、ケース１１１内に絶縁的に分離配置された２つの導電ブロック１１３ａ、１１４ａと、一方の導電ブロック１１３ａにねじ１１５ａによりねじ止めされたリード線２１２ａとを備えている。
【００３４】
さらに、ケース１１１内には、導電ブロック１１３ａ、１１４ａに対して絶縁的に分離配置され、かつ、互いにも絶縁的に分離配置された２つの導電ブロック１１３ｂ、１１４ｂと、一方の導電ブロック１１３ｂによりねじ止めされたリード線２１４ａとを備えている。導電ブロック１１３ａ、１１４ａ、１１３ｂ、１１４ｂは黄銅製で形成されている。
【００３５】
導電ブロック１１３ａ及び１１４ａには、それぞれ、一方のスイッチ付バイパスプラグ１５０の一方及び他方の端子１５１及び１５２を挿入することができるプラグ端子挿入孔１２２ａ及び１２３ａが平行に設けられている。これらのプラグ端子挿入孔１２２ａ及び１２３ａに対応する部位のケース１１１に、それぞれ、プラグ端子挿入孔１２２ａ及び１２３ａに連通するとともに、一方のスイッチ付バイパスプラグ１５０の端子１５１及び１５２が挿入可能なプラグ嵌合孔１２４ａ及び１２５ａが設けられている。
【００３６】
同様に、導電ブロック１１３ｂ及び１１４ｂには、それぞれ、他方のスイッチ付バイパスプラグ１５０の一方及び他方の端子１５１及び１５２を挿入することができるプラグ端子挿入孔１２２ｂ及び１２３ｂが平行に設けられている。これらのプラグ端子挿入孔１２２ｂ及び１２３ｂに対応する部位のケース１１１に、それぞれ、プラグ端子挿入孔１２２ｂ及び１２３ｂに連通するとともに、他方のスイッチ付バイパスプラグ１５０の端子１５１及び１５２が挿入可能なプラグ嵌合孔１２４ｂ及び１２５ｂが設けられている。
【００３７】
図３に示すように、スイッチ付バイパスプラグ１５０は、スイッチ１５８の端子に接続された導電線と、この導電線の端子１５１、１５２を除く部分を合成樹脂によりモールドした絶縁本体部１５５と、を備える。絶縁本体部１５５は、長方体の形状を有する。端子１５１、１５２は、絶縁本体部１５５の一方の側面から平行になるように延びている。絶縁本体部１５５は、端子１５１、１５２が延びている側面と反対側に絶縁本体部１５５の厚さより厚い頭部１５６を有する。
【００３８】
頭部１５６は滑り止めとして作用する。また絶縁本体部１５５の頭部１５６側の近傍に一対の凹部１５７が形成されている。スイッチ１５８は、スイッチ付バイパスプラグ１５０の頭部１５６に形成される。
【００３９】
スイッチ付バイパスプラグ１５０は、端子１５１及び１５２がそれぞれプラグ端子挿入孔１２２ａ及び１２３ａまたは１２２ｂ及び１２３ｂに引き抜き困難に挿入されると、導電ブロック１１３ａ及び１１４ａまたは１１３ｂ及び１１４ｂを互いに電気的に接続するように機能する。
【００４０】
図２に示すように、導電ブロック１１４ａ及び１１４ｂには、それぞれ、負荷側電力線２１２及び２１４の端部を挿入しうる引込線挿入孔１２６ａ及び１２６ｂが設けられている。この引込線挿入孔１２６ａ及び１２６ｂ内に先端が挿入された負荷側電力線２１２及び２１４を、それぞれ、導電ブロック１１４ａ及び１１４ｂにねじ込まれた止めねじ１２７により保持する。
【００４１】
作業者が一方のスイッチ付バイパスプラグ１５０の両端子１５１及び１５２を、それぞれ、プラグ嵌合孔１２４ａ及び１２５ａを介して、導電ブロック１１３ａ及び１１４ａのプラグ端子挿入孔１２２ａ及び１２３ａに挿入すると、両端子１５１及び１５２は、それぞれ、プラグ端子挿入孔１２２ａ及び１２３ａに電気的に接続し、また、取り外し困難に挿入される。なお、スイッチ１５８を操作することにより端子１５１と端子１５２は電気的に接続及び切断が可能となる。
【００４２】
リード線２１２ａと負荷側電力線２１２とは、止めねじ１１５ａ、導電ブロック１１３ａ、端子１５１、端子１５２、導電ブロック１４１ａ、止めねじ１２７を介して電気的に接続される。
【００４３】
同様に、作業者が、他方のスイッチ付バイパスプラグ１５０の両端子１５１及び１５２を、それぞれ、プラグ嵌合孔１２４ｂ及び１２５ｂを介して、導電ブロック１１３ｂ及び１１４ｂのプラグ端子挿入孔１２２ｂ及び１２３ｂに挿入すると、両端子１５１及び１５２は、それぞれ、プラグ端子挿入孔１２２ｂ及び１２３ｂに電気的に接続し、また、取り外し困難に挿入される。なお、スイッチ１５８を操作することにより電気的に接続及び切断が可能となる。
【００４４】
リード線２１４ａと負荷側電力線２１４とは、止めねじ１１５ｂ、導電ブロック１１３ｂ、端子１５１、端子１５２、導電ブロック１４１ｂ、止めねじ１２７を介して電気的に接続される。
【００４５】
以上の実施例では、一方のスイッチ付バイパスプラグ１５０と他方のスイッチ付バイパスプラグ１５０の２個のスイッチ付バイパスプラグ１５０を有する。スイッチ付バイパスプラグ１５０は一方の端子１５１と他方の端子１５２とを備える。スイッチ付バイパスプラグ１５０はスイッチ１５８を備える。スイッチ付バイパスプラグは、絶縁本体部及び頭部を１個と、端子４本と、スイッチ１個と、を備えたスイッチ付バイパスプラグでもかまわない。
【００４６】
以上本発明の実施形態を説明したが、具体例を例示したに過ぎず、特に本発明を限定しない。また、本発明の実施形態に記載された効果は、本発明から生じる最も好適な効果を列挙したに過ぎず、本発明による効果は、本発明の実施形態に記載された効果に限定されない。
【図面の簡単な説明】
【００４７】
【図１】本発明に係るスイッチ型無停電端子の断面図である。
【図２】本発明に係る無停電端子とスイッチ付バイバスプラグの断面図である。
【図３】図２に示した無停電端子に用いられるバイパスプラグの図である。（Ａ）は正面図、（Ｂ）は側面図である。
【図４】無停電端子の設置状態を説明する概略図である。
【図５】従来の無停電端子からバイパスプラグを引き抜く作業を説明するための概略図である。
【符号の説明】
【００４８】
１        スイッチ型無停電端子
１１      ケース
１２      カバー
１３ａ    導電ブロック
１３ｂ    導電ブロック
１４ａ    導電ブロック
１４ｂ    導電ブロック
１５ａ    ねじ
２２      ねじ
２３      ねじ
２６ａ    引込線挿入孔
２６ｂ    引込線挿入孔
２７      止めねじ
３２      負荷側電力線
３２ａ    リード線
３４      負荷側電力線
３４ａ    リード線
５０      スイッチ
５１      端子
５２      端子
１００    無停電端子
１１１    ケース
１１２    カバー
１１５ａ  止めねじ
１１３ａ  導電ブロック
１１３ｂ  導電ブロック
１１４ａ  導電ブロック
１１４ｂ  導電ブロック
１２２ａ  プラグ端子挿入孔
１２２ｂ  プラグ端子挿入孔
１２３ａ  プラグ端子挿入孔
１２３ｂ  プラグ端子挿入孔
１２４ａ  プラグ嵌号孔
１２４ｂ  プラグ嵌号孔
１２５ａ  プラグ嵌号孔
１２５ｂ  プラグ嵌号孔
１２６ａ  引込線挿入孔
１２６ｂ  引込線挿入孔
１２７    止めねじ
１５０    スイッチ付バイパスプラグ
１５１    端子
１５２    端子
１５５    絶縁本体部
１５６    頭部
１５７    凹部
１５８    スイッチ
２１２    負荷側電力線
２１４    負荷側電力線
２１２ａ  リード線
２１４ａ  リード線
【図１】
2009139284.tif 000003
【図２】
2009139284.tif 000004
【図３】
2009139284.tif 000005
【図４】
2009139284.tif 000006
【図５】
2009139284.tif 000007